(57)【要約】【課題】  凹部に位置したシュリンクラベル部分が、指先による把持に邪魔とならないようにし、もって把持用凹部を含めてシュリンクラベルを外装した容器の、指先による把持を安定して達成することを目的とする。【解決手段】  把持用凹部３を有してシュリンクラベル７を外装した容器において、凹部３内に陥没するシュリンクラベル７の陥没部分７と、指先および凹部３との間の組付きを強固とすることにより、シュリンクラベル７の把持に対する悪影響をなくし、指先による凹部３を利用した把持を安定して達成する。【選択図】  図４
2008137690.tif 000002
【特許請求の範囲】
【請求項１】
把持用の凹部を形成した容器本体の胴部に、シュリンクラベルを外装した合成樹脂製容器であって、前記凹部に沿って凹ませたシュリンクラベルの陥没部分に、前記胴部を把持する手の指先とシュリンクラベルとの間のスベリ発生を防止するスベリ止め手段を施した合成樹脂製容器。
【請求項２】
スベリ止め手段を、陥没部分に対するシボ加工とした請求項１記載の合成樹脂製容器。
【請求項３】
スベリ止め手段を、陥没部分の表面に塗布したスベリ止め塗膜とした請求項１記載の合成樹脂製容器。
【請求項４】
スベリ止め塗膜を、点状、線状さらには格子状に形成した請求項３記載の合成樹脂製容器。
【請求項５】
把持用の凹部を形成した容器本体の胴部に、シュリンクラベルを外装した合成樹脂製容器であって、前記凹部に沿って凹ませたシュリンクラベルの陥没部分に接着層を設け、前記凹部と接着固定した合成樹脂製容器。
【請求項６】
接着層を、点状、線状さらには格子状に形成した請求項５記載の合成樹脂製容器。
【請求項７】
シボ加工を施した陥没部分に接着層を設け、凹部と接着固定した請求項２または５記載の合成樹脂製容器。
【請求項８】
表面にスベリ止め塗膜を形成した陥没部分に接着層を設け、凹部と接着固定した請求項３、４または５記載の合成樹脂製容器。
【発明の詳細な説明】
【技術分野】
【０００１】
本発明は、把持用凹部を有する胴部に、熱収縮フィルム製のシュリンクラベルを外装した壜体状の合成樹脂製容器に関するものである。
【背景技術】
【０００２】
ポリエチレンテレフタレート樹脂製の壜体、所謂ペットボトル等の合成樹脂製容器は、例えば特許文献１に記載があるように、多くの場合、装飾ために熱収縮フィルム製のシュリンクラベルを胴部に外装して使用している。
【０００３】
このシュリンクラベルは、容器本体に対する組付きが強固で安定すること、外装のための操作が容易であること、容器本体の表面構造に左右されないこと等の利点を有している。
【０００４】
このシュリンクラベルの容器本体の胴部への外装は、予め筒状に成形されたシュリンクラベルを胴部部分に嵌装し、この嵌装したシュリンクラベルを加熱して、主として周方向に熱収縮させ、もってこの収縮変形により胴部部分に強固に密着状に外装する。
【特許文献１】特開２００５−２８０７８２号公報
【発明の開示】
【発明が解決しようとする課題】
【０００５】
ところで、容器本体の胴部に対する外装を、シュリンクラベルが、把持用の凹部全体を覆う状態で実施すると、凹部が、周溝等、胴部に周状に形成された場合を除いて、シュリンクラベルは、凹部の壁面との間に空間を形成した状態で組付く。
【０００６】
このため、指先により、凹部で胴部を把持する際に、凹部を覆っているシュリンクラベル部分との間のスベリにより、また凹部とシュリンクラベル部分との間に形成される空間により、把持状態が不安定となる、と云う不都合が発生する。
【０００７】
そこで、凹部に対向するシュリンクラベル部分を、予め凹部に沿って凹ませておくことが考えられているが、指先とシュリンクラベル部分との間のスベリ易さによる把持の不安定さを解消することができない、と云う問題が生じる。
【０００８】
また、単に、凹部に対向するシュリンクラベル部分を、予め凹部に沿って凹ませただけでは、シュリンクラベルの陥没させた部分と凹部表面との間の空間の全てを無くすことができず、このため把持の不安定さを解消できない、と云う問題が生じる。
【０００９】
そこで、本発明は、上記した従来技術における問題点を解消すべく創案されたもので、凹部に位置したシュリンクラベル部分が、指先による把持に邪魔とならないようにすることを技術的課題とし、もって把持用凹部を含めてシュリンクラベルを外装した容器の、指先による把持を安定して達成することを目的とする。
【課題を解決するための手段】
【００１０】
本発明による合成樹脂製容器は、胴部に把持用の凹部を形成した壜状の合成樹脂製容器本体と、この容器本体の凹部を含めた胴部に外装されたシュリンクラベルとから構成されている。
【００１１】
容器本体の胴部に外装されたシュリンクラベルの内、凹部に対向する部分、すなわち凹部を覆う部分は、この凹部に沿って凹ませて、凹部内に陥没する陥没部分となっている。
【００１２】
本発明の第一の発明は、容器本体の凹部内の陥没した、シュリンクラベルの陥没部分に、胴部を把持する手の指先とシュリンクラベルとの間のスベリ発生を防止するスベリ止め手段を施したものとなっている。
【００１３】
シュリンクラベルの陥没部分で容器を把持すると、スベリ止め手段により、シュリンクラベルと指先の間のスベリが防止されるので、指先による容器の把持が安定する。
【００１４】
本発明の第一の発明の別の構成は、スベリ止め手段を、陥没部分に対するシボ加工とした、ことにある。
【００１５】
スベリ止め手段を、陥没部分に対するシボ加工としたものにあっては、シュリンクラベルに対する簡単な加工により、スベリ止め手段を簡単に得ることができる。
【００１６】
また、本発明の第一の発明の別の構成は、スベリ止め手段を、陥没部分の表面に対するスベリ止め塗膜とした、ことにある。
【００１７】
スベリ止め手段を、陥没部分の表面に対するスベリ止め塗膜としたものにあっては、簡単な塗布処理によりスベリ止め塗膜を得ることができると共に、このスベリ止め塗膜の塗布成形処理は、任意の時点で行うことができる。
【００１８】
また、本発明の第一の発明の別の構成は、スベリ止め手段のスベリ止め塗膜を、点状、線状さらには格子状に形成した、ことにある。
【００１９】
スベリ止め手段のスベリ止め塗膜を、点状、線状さらには格子状に形成したものにあっては、塗布形成されたスベリ止め塗膜そのものが、陥没部分表面に凹凸を形成することになるので、指先と陥没部分表面との間のスベリ難さは、きわめて高いレベルとなる。
【００２０】
本発明の第二の発明は、容器本体の凹部内の陥没した、シュリンクラベルの陥没部分に接着層を設け、凹部と接着固定したものとなっている。
【００２１】
シュリンクラベルの陥没部分で容器を把持すると、陥没部分が凹部に接着固定されているので、凹部に対する指先の把持力を、シュリンクラベルの陥没部分が邪魔することなく、直接的に作用させることができ、これによりシュリンクラベルが無い状態と殆ど同じ状態で、容器本体の把持を達成することができる。
【００２２】
本発明の第二発明の別の構成は、接着層を、点状、線状さらには格子状に形成した、ことにある。
【００２３】
接着剤を、点状、線状さらには格子状に形成したものにあっては、接着層により、陥没部分表面に凹凸を形成することになるので、指先と陥没部分表面との間のスベリ難さが高められ、その分、指先と凹部底面との間のスベリ変位は発生し難いものとなる。
本発明の第一および第二の発明の別の構成は、シボ加工を施した陥没部分に接着層を設け、凹部と接着固定した、ことにある。
【００２４】
シボ加工を施した陥没部分に接着層を設け、凹部と接着固定したものにあっては、指先の把持力を凹部底面に直接的に作用させることができると共に、陥没部分と指先との間のスベリがきわめて発生し難いものとなっているので、指先による容器の把持が、安定して強力に達成することができる。
【００２５】
また、本発明の第一および第二の発明の別の構成は、表面にスベリ止め塗膜を形成した陥没部分に接着層を設け、凹部と接着固定した、ことにある。
【００２６】
表面にスベリ止め塗膜を形成した陥没部分に接着層を設け、凹部と接着固定したものにあっては、指先の把持力を凹部底面へ直接的に作用させることができると共に、陥没部分と指先との間のスベリがきわめて発生し難いものとなっているので、指先による容器の把持が、安定して強力に達成することができる。
【発明の効果】
【００２７】
本発明は、上記した構成となっているので、以下に示す効果を奏する。
本発明の第一の発明にあっては、シュリンクラベルの陥没部分と指先との間のスベリ変位により、把持動作が不安定となる、と云う不都合の発生を、殆ど無くすことができるので、シュリンクラベルを外装した合成樹脂製容器であっても、把持用の凹部を利用して、安定して容器を把持することができ、これによりシュリンクラベル付き容器の安全な取り扱いを得ることができる。
【００２８】
第一の発明のスベリ止め手段を、陥没部分に対するシボ加工としたものにあっては、シュリンクラベルに対する加工により、スベリ止め手段を簡単に得ることができるので、安価にかつ簡単に実施することができる。
【００２９】
第一の発明のスベリ止め手段を、陥没部分の表面に塗布形成したスベリ止め塗膜としたものにあっては、スベリ止め塗膜を任意の時点に簡単に形成することができるので、スベリ止め塗膜の形成を好適に行うことができる。
【００３０】
スベリ止め手段のスベリ止め塗膜を、点状、線状さらには格子状に形成したものにあっては、指先とシュリンクラベル表面との間のスベリ難さを、きわめて高いレベルとすることができるので、より安定した把持状態を得ることができる。
【００３１】
本発明の第二の発明にあっては、シュリンクラベルが無い状態と殆ど同じ状態で、容器本体の把持を達成することができるので、確実で安定した把持動作を得ることができる。
【００３２】
第二の発明の接着層を、点状、線状さらには格子状に形成したものにあっては、凹部に対する陥没部分の接着固定と、陥没部分表面のスベリ難さとが加わることにより、安定した把持状態を確実に得ることができる。
【００３３】
シボ加工を施した陥没部分に接着層を設け、凹部と接着固定したものにあっては、凹部底面と陥没部分との間に空間がほぼない状態になると共に、陥没部分と指先との間のスベリがきわめて発生し難いものとなっているので、指先による容器の把持を、安定して強力に達成することができ、シュリンクラベル付き容器の安全な取り扱いを得ることができる。
【００３４】
表面にスベリ止め塗膜を形成した陥没部分に接着層を設け、凹部と接着固定したものにあっては、凹部底面と陥没部分との間に空間がほぼない状態になると共に、陥没部分と指先との間のスベリがきわめて発生し難いものとなっているので、指先による容器の把持が、安定して強力に達成することができ、シュリンクラベル付き容器の安全な取り扱いを得ることができる。
【発明を実施するための最良の形態】
【００３５】
以下、本発明の実施形態を、図面を参照しながら説明する。
【００３６】
図１と図２は、容器本体１の代表的な構成例を示すもので、共に胴部２を四角筒形状に構成し、この胴部２の対向した一対の平坦壁部分の中央に、把持用の凹部３を一体に陥没設しており、下端を底部で塞いだ胴部２の上端に、上方に縮径した肩部を介して連設された口筒部６には、開閉用のキャップ１２が組付けられている。
【００３７】
図１の容器本体１は、胴部２の高さ方向の中央位置に設けた周溝４の一部を、上下に拡幅して凹部３に形成したもので、周溝４部分に対向したシュリンクラベル７部分は、この周溝４内に陥没するので、陥没部分８の成形が容易である。
【００３８】
図２の容器本体１は、凹部３を単独に形成したもので、この凹部３に対向するシュリンクラベル７の部分は、張設された状態で凹部３に対向するので、この部分を押圧加工等により、陥没部分８に成形する必要がある。
【００３９】
図３は、胴部２に対するシュリンクラベル７の装着状態の一例を示すもので、シュリンクラベル７の上端は、肩部の下端部に引っ掛っており、同様にシュリンクラベル７の下端は、底部の周縁部に引っ掛っている。
【００４０】
胴部２の凹部３に対向するシュリンクラベル７の部分は、凹部３内に陥没して陥没部分８が形成されており、この陥没部分８には、スベリ止め手段が施されている。
【００４１】
シュリンクラベル７の陥没部分８に施されるスベリ止め手段の第一の実施例は、図４に示すように、陥没部分８にシボ加工９を施すものとなっている。
【００４２】
陥没部分８は、シボ加工９されることにより、その表面を充分な粗面状態とすることができ、これにより陥没部分８と指先との間をスベリ難いものとする。
【００４３】
シュリンクラベル７の陥没部分８に施されるスベリ止め手段の第二の実施例は、図５に示すように、陥没部分８の表面に、スベリ止め塗膜１０を形成したものとなっている。
【００４４】
陥没部分８は、スベリ止め塗膜１０を塗布されることにより、その表面がスベリ難くなり、これにより陥没部分８と指先との間をスベリ難いものとする。
【００４５】
このスベリ止め塗膜１０の形成は、通常の塗布操作で達成できるので、陥没部分８の成形の時点に関わりなく、任意の時点で行うことが可能である。
【００４６】
また、スベリ止め塗膜１０を、スベリ止め塗料のベタ塗りだけではなく、点状、線状、さらには格子状に塗布することにより、スベリ止め塗膜１０のスベリ止め効果が高められる。
【００４７】
図６は、陥没部分８を凹部３の底面に接着剤１１で接着固定した構成を示している。
【００４８】
陥没部分８は、接着剤１１により凹部３、すなわち容器本体１に対して変位不能となるので、シュリンクラベル７が、手による容器の把持の邪魔となることがなくなる。
【００４９】
図７は、陥没部分８を凹部３の底面に接着固定する接着剤１１を、ベタ塗りの他に、点状、線状、さらには格子状に形成することにより、陥没部分８の表面に、接着剤１１が位置している部分と、位置していない部分との間に凹凸段差を生じさせ、これにより陥没部分８の表面を凹凸粗面にして、陥没部分８と指先との間もスベリ難いようにすると云う、さらなる効果を発揮するものとなっている。
【００５０】
この他、図示省略したが、図４図示実施例と、図６図示実施例とを組合せることにより、また図５図示実施例と、図６図示実施例とを組合せることにより、図７に図示した実施例と同様の作用を発揮させることが可能となる。
【産業上の利用可能性】
【００５１】
以上説明したように、本発明の、シュリンクラベルで外装した合成樹脂製容器は、把持用の凹部の機能を損なうことなく、シュリンクラベルの外装を、不都合なく達成することができ、シュリンクラベルの広範囲な装着を求める用途に、幅広い利用範囲が期待できる。
【図面の簡単な説明】
【００５２】
【図１】本発明が実施される容器本体の一例を示す、全体斜視図である。
【図２】本発明が実施される容器本体の他の一例を示す、全体斜視図である。
【図３】本発明の一実施形態例を示す、全体半縦断面である。
【図４】図３中、丸印した部分の一例を示す、拡大断面図である。
【図５】図３中、丸印した部分の他の一例を示す、拡大断面図である。
【図６】図３中、丸印した部分の他の一例を示す、拡大断面図である。
【図７】図３中、丸印した部分の他の一例を示す、拡大断面図である。
【符号の説明】
【００５３】
１  ；容器本体
２  ；胴部
３  ；凹部
４  ；周溝
５  ；縦溝
６  ；口筒部
７  ；シュリンクラベル
８  ；陥没部分
９  ；シボ加工
１０；スベリ止め塗料
１１；接着剤
１２；キャップ
【図１】
2008137690.tif 000003
【図２】
2008137690.tif 000004
【図３】
2008137690.tif 000005
【図４】
2008137690.tif 000006
【図５】
2008137690.tif 000007
【図６】
2008137690.tif 000008
【図７】
2008137690.tif 000009